(57)【要約】【課題】回路構成を複雑化させることなく、インターレース駆動を実現するプラズマディスプレイ装置を提供する。【解決手段】サステインパルスを出力するサステイン回路２３と偶数表示ラインのＹ電極を駆動するスキャン回路２１との間に、偶数表示ラインのＹ電極をハイインピーダンス状態にすることが可能なスイッチＳＷ１を設け、サステイン回路２３と奇数表示ラインのＹ電極を駆動するスキャン回路２２との間に、奇数表示ラインのＹ電極をハイインピーダンス状態にすることが可能なスイッチＳＷ２を設け、スイッチ回路ＳＷ１、ＳＷ２により偶数表示ラインのＹ電極及び奇数表示ラインのＹ電極を独立してハイインピーダンス状態に制御可能にし、奇数フレームのサステイン期間では偶数表示ラインの放電を抑制し、偶数フレームのサステイン期間では奇数表示ラインの放電を抑制できるようにする。【選択図】図１
2009053548.tif 000002
【特許請求の範囲】
【請求項１】
１つの表示ラインを２本の電極からなる表示電極対で構成し、偶数表示ラインの前記表示電極対と奇数表示ラインの前記表示電極対とが交互に配列されたプラズマディスプレイパネルと、
前記偶数表示ラインの表示電極対のスキャン電極が接続され、当該スキャン電極に駆動電圧を供給する第１のスキャン回路と、
前記奇数表示ラインの表示電極対のスキャン電極が接続され、当該スキャン電極に駆動電圧を供給する第２のスキャン回路と、
前記表示電極対のスキャン電極に印加される１種類のサステインパルスを出力する第１のサステイン回路と、
前記第１のサステイン回路と第１のスキャン回路とを接続するスイッチ回路であって、前記偶数表示ラインのスキャン電極をハイインピーダンス状態にすることが可能な第１のスイッチ回路と、
前記第１のサステイン回路と第２のスキャン回路とを接続するスイッチ回路であって、前記奇数表示ラインのスキャン電極をハイインピーダンス状態にすることが可能な第２のスイッチ回路とを備えることを特徴とするプラズマディスプレイ装置。
【請求項２】
１フレームを複数のサブフレームで構成し、各々のサブフレームが表示データに応じて選択されたセルを放電発光させるサステイン期間を有し、
少なくとも偶数フレームの前記サステイン期間にて前記第２のスイッチ回路により前記奇数表示ラインのスキャン電極をハイインピーダンス状態にし、少なくとも奇数フレームの前記サステイン期間にて前記第１のスイッチ回路により前記偶数表示ラインのスキャン電極をハイインピーダンス状態にすることを特徴とする請求項１記載のプラズマディスプレイ装置。
【請求項３】
前記サステイン期間中のすべてで、ハイインピーダンス状態とする対象のスキャン電極をハイインピーダンス状態にしておくことを特徴とする請求項２記載のプラズマディスプレイ装置。
【請求項４】
前記各々のサブフレームが、前記表示データに応じて点灯させようとするセルの選択を行うアドレス期間を有し、
少なくとも１つのサブフレームの前記アドレス期間にて、隣接する２つの表示ラインの対応するセルに同一のデータを書き込むことを特徴とする請求項２記載のプラズマディスプレイ装置。
【請求項５】
前記サステイン期間において前記偶数表示ラインのスキャン電極及び前記奇数表示ラインのスキャン電極に同時に前記サステインパルスが印加される前記サステイン期間での時間割合を示す混合率を前記プラズマディスプレイパネルの表示負荷率に応じて制御することを特徴とする請求項４記載のプラズマディスプレイ装置。
【請求項６】
前記プラズマディスプレイパネルの表示負荷率が、第１のしきい値以下の場合には表示負荷率が低下するにつれて前記混合率を増加させ、前記第１のしきい値より高い場合には前記混合率を０とすることを特徴とする請求項５記載のプラズマディスプレイ装置。
【請求項７】
前記プラズマディスプレイパネルの表示負荷率が、第１のしきい値以下の場合には表示負荷率が低下するにつれて前記混合率を増加させ、前記第１のしきい値より高くかつ第２のしきい値以下の場合には前記混合率を０とし、前記第２のしきい値より高い場合には表示負荷率が増加するにつれて前記混合率を増加させることを特徴とする請求項５記載のプラズマディスプレイ装置。
【請求項８】
輝度重みの軽いサブフレームでは、前記プラズマディスプレイパネルの表示負荷率によらず前記混合率を０とすることを特徴とする請求項６又は７記載のプラズマディスプレイ装置。
【請求項９】
前記サステイン期間において前記偶数表示ラインのスキャン電極及び前記奇数表示ラインのスキャン電極に同時に前記サステインパルスが印加される前記サステイン期間での時間割合を示す混合率を、輝度重みの軽いサブフレームでは０とし、輝度重みの重いサブフレームでは１とすることを特徴とする請求項４記載のプラズマディスプレイ装置。
【請求項１０】
前記プラズマディスプレイパネルは、
隣接する表示ラインにおける表示電極対のスキャン電極が隣り合うように配置されていることを特徴とする請求項１〜９の何れか１項に記載のプラズマディスプレイ装置。
【請求項１１】
前記偶数表示ライン及び前記奇数表示ラインの各表示電極対における前記スキャン電極とは異なる電極が共通接続され、当該電極に印加される１種類のサステインパルスを出力する第２のサステイン回路を備えることを特徴とする請求項１〜１０の何れか１項に記載のプラズマディスプレイ装置。
【発明の詳細な説明】
【技術分野】
【０００１】
本発明は、プラズマディスプレイ装置に関する。
【背景技術】
【０００２】
プラズマディスプレイパネル（ＰＤＰ：Plasma Display Panel）において、隣接するセルの電極を共有する電極構造を持つ共通電極型プラズマディスプレイパネル（以下、「共通電極パネル」とも称す。）がある（例えば、特許文献１参照。）。
【０００３】
図１６は、共通電極パネルを有するプラズマディスプレイ装置の構成を示すブロック図である。プラズマディスプレイ装置は、プラズマディスプレイパネル（共通電極パネル）１１０、Ｙ電極ドライバ１２０、Ｘ電極ドライバ１３０、アドレスドライバ１４０、及び制御回路１５０を有する。
【０００４】
Ｙ電極ドライバ１２０は、共通電極パネル１１０内に形成された表示電極（Ｙ電極）Ｙ１、Ｙ２、…を駆動する駆動回路であり、スキャン回路１２１、１２２、及びサステイン回路１２３、１２４を有する。スキャン回路１２１、１２２は、表示すべきセル（画素）を選択するアドレス期間において表示電極Ｙにスキャンパルスを順に印加し、サステイン放電（維持放電）を行うサステイン期間において表示電極Ｙにサステイン回路１２３、１２４からのサステインパルス（維持放電パルス）を同時に印加するように動作する。
【０００５】
Ｘ電極ドライバ１３０は、共通電極パネル１１０内に形成された表示電極（Ｘ電極）Ｘ１、Ｘ２、…を駆動する駆動回路であり、サステイン回路１３１、１３２を有する。サステイン回路１３１、１３２は、サステイン期間において表示電極Ｘにサステインパルスを印加する。アドレスドライバ１４０は、アドレス期間においてアドレス電極Ａ１、Ａ２、…に表示データに応じアドレスパルスを印加する。制御回路１５０は、入力される表示データ、クロック信号、水平同期信号、及び垂直同期信号などに基づいて制御信号を生成し、生成した制御信号によってＹ電極ドライバ１２０、Ｘ電極ドライバ１３０、及びアドレスドライバ１４０を制御する。
【０００６】
図１６に示したような共通電極パネルでは、表示ラインを奇数表示ラインと偶数表示ラインとに分け、奇数フレームでは奇数表示ラインを、偶数フレームでは偶数表示ラインを点灯させるようにしてインターレース駆動が行われる。奇数表示ラインは、Ｘ電極Ｘｋ（ｋ＝１、２、…）とＹ電極Ｙｋとの組で構成され、偶数表示ラインは、Ｙ電極ＹｋとＸ電極Ｘ（ｋ＋１）との組で構成される。
【０００７】
【特許文献１】特開平９−１６０５２５号公報
【発明の開示】
【発明が解決しようとする課題】
【０００８】
上述した共通電極パネルでは、ひとつの表示電極が隣接する２つの表示ラインにまたがるので、インターレース駆動を実現するためには、ある表示電極に対して隣接する２本の表示電極に異なる電圧波形（サステインパルス）を印加する必要がある。すなわち、点灯させる表示ラインに係る各組の表示電極には、逆相となるようにサステインパルス（印加電圧）を印加し、点灯させない表示ラインに係る各組の表示電極には同相となるようにサステインパルスを印加する必要がある。
【０００９】
例えば、図１６に示した例において、奇数表示ラインを点灯させる場合には、表示電極Ｘ１及び表示電極Ｙ１にそれぞれ印加される電圧波形は逆相の関係にあり、表示電極Ｘ２及び表示電極Ｙ２にそれぞれ印加される電圧波形も逆相の関係にある。一方、偶数表示ラインに対応する表示電極Ｙ１及び表示電極Ｘ２にそれぞれ印加される電圧波形は同相の関係にある。
【００１０】
つまり、奇数表示ラインを点灯させる場合には、表示電極Ｙ１を基準とすると、表示電極Ｘ２に同相の電圧波形が印加され、表示電極Ｘ１、Ｙ２に逆相の電圧波形が印加されることとなる。同様に、偶数表示ラインを点灯させる場合には、表示電極Ｙ１を基準とすると、表示電極Ｘ１に同相の電圧波形が印加され、表示電極Ｘ２、Ｙ２に逆相の電圧波形が印加されることとなる。
【００１１】
このように、共通電極パネルでインターレース駆動を実現するためには、表示電極のうちＹ電極を駆動するＹ電極ドライバが異なる２種類の電圧波形（サステインパルス）を出力し、同様にＸ電極を駆動するＸ電極ドライバが異なる２種類の電圧波形（サステインパルス）を出力しなければならない。すなわち、図１６に示したように、Ｙ電極ドライバ及びＸ電極ドライバのそれぞれに２つのサステイン回路を設けなければならず、回路構成が複雑であった。
【００１２】
本発明は、回路構成を複雑化させることなく、インターレース駆動を実現するプラズマディスプレイ装置を提供することを目的とする。
【課題を解決するための手段】
【００１３】
本発明のプラズマディスプレイ装置は、１つの表示ラインを２本の電極からなる表示電極対で構成し、偶数表示ラインの前記表示電極対と奇数表示ラインの前記表示電極対とが交互に配列されたプラズマディスプレイパネルと、前記偶数表示ラインの表示電極対のスキャン電極が接続され、当該スキャン電極に駆動電圧を供給する第１のスキャン回路と、前記奇数表示ラインの表示電極対のスキャン電極が接続され、当該スキャン電極に駆動電圧を供給する第２のスキャン回路と、前記表示電極対のスキャン電極に印加される１種類のサステインパルスを出力する第１のサステイン回路と、前記第１のサステイン回路と第１のスキャン回路とを接続するスイッチ回路であって、前記偶数表示ラインのスキャン電極をハイインピーダンス状態にすることが可能な第１のスイッチ回路と、前記第１のサステイン回路と第２のスキャン回路とを接続するスイッチ回路であって、前記奇数表示ラインのスキャン電極をハイインピーダンス状態にすることが可能な第２のスイッチ回路とを備えることを特徴とする。
【発明の効果】
【００１４】
本発明によれば、第１のスイッチ回路及び第２のスイッチ回路により、偶数表示ラインのスキャン電極及び奇数表示ラインのスキャン電極を独立して制御しハイインピーダンス状態にすることができる。これにより、奇数フレームのサステイン期間では偶数表示ラインの放電を抑制し、偶数フレームのサステイン期間では奇数表示ラインの放電を抑制し、簡単な回路構成でインターレース駆動を実現することができる。
【発明を実施するための最良の形態】
【００１５】
以下、本発明の実施形態を図面に基づいて説明する。
【００１６】
（第１の実施形態）
図１は、本発明の第１の実施形態によるプラズマディスプレイ装置の構成例を示すブロック図である。第１の実施形態によるプラズマディスプレイ装置は、プラズマディスプレイパネル１０、Ｙ電極ドライバ２０、Ｘ電極ドライバ３０、アドレスドライバ４０、及び制御回路５０を有する。
【００１７】
Ｙ電極ドライバ２０は、表示電極のうちＹ電極（スキャン電極、走査電極）Ｙ１、Ｙ２、…を駆動する回路であり、スキャン回路（ｅｖｅｎ）２１、スキャン回路（ｏｄｄ）２２、及びサステイン回路２３を有する。以下、Ｙ電極Ｙ１、Ｙ２、…の各々を又はそれらの総称をＹ電極Ｙｉともいい、ｉは添え字を意味する。
【００１８】
スキャン回路２１、２２は、線順次走査して表示すべき行を選択する回路からなり、サステイン回路２３は、サステイン放電（維持放電）を繰り返す回路からなる。スキャン回路２１、２２、及びサステイン回路２３により複数のＹ電極Ｙｉに所定の電圧が供給される。
【００１９】
スキャン回路（ｅｖｅｎ）２１は、表示ラインのうち偶数表示ラインに係る偶数番目のＹ電極Ｙ２、Ｙ４、…に対応して設けられ、Ｙ電極Ｙ２、Ｙ４、…に駆動電圧を供給する。スキャン回路（ｅｖｅｎ）２１は、少なくとも偶数表示ラインを点灯させる偶数フレームでは、アドレス期間においてスキャンパルスがＹ電極Ｙ２、Ｙ４、…に順に印加され、サステイン期間においてサステイン回路２３からのサステインパルス（維持放電パルス）がＹ電極Ｙ２、Ｙ４、…に同時に印加されるよう動作する。
【００２０】
また、同様に、スキャン回路（ｏｄｄ）２２は、奇数表示ラインに係る奇数番目のＹ電極Ｙ１、Ｙ３、Ｙ５、…に対応して設けられ、Ｙ電極Ｙ１、Ｙ３、Ｙ５、…に駆動電圧を供給する。スキャン回路（ｏｄｄ）２２は、少なくとも奇数表示ラインを点灯させる奇数フレームでは、アドレス期間においてスキャンパルスがＹ電極Ｙ１、Ｙ３、…に順に印加され、サステイン期間においてサステイン回路２３からのサステインパルスがＹ電極Ｙ１、Ｙ３、…に同時に印加されるよう動作する。
【００２１】
また、スキャン回路（ｅｖｅｎ）２１とサステイン回路２３とはスイッチＳＷ１を介して接続され、スキャン回路（ｏｄｄ）２２とサステイン回路２３とはスイッチＳＷ２を介して接続されている。スイッチＳＷ１、ＳＷ２は、制御回路５０からの制御信号等に基づいて、独立してオン／オフ制御される。
【００２２】
スイッチＳＷ１、ＳＷ２により、サステイン回路２３からの出力をスキャン回路２１、２２に供給するか否か、より詳細にはスイッチＳＷ１によってサステイン回路２３からの出力を偶数番目のＹ電極Ｙ２、Ｙ４、…に印加するか否か、及びスイッチＳＷ２によって奇数番目のＹ電極Ｙ１、Ｙ３、…に印加するか否かをそれぞれ独立して切り替えることができる。また、スイッチＳＷ１、ＳＷ２をオフ状態にすることにより、偶数番目のＹ電極Ｙ２、Ｙ４、…、及び奇数番目のＹ電極Ｙ１、Ｙ３、…を独立してハイインピーダンス状態とさせることができる。
【００２３】
Ｘ電極ドライバ３０は、表示電極のうちＸ電極（維持電極）Ｘ１、Ｘ２、…を駆動する回路であり、サステイン回路３１を有する。以下、Ｘ電極Ｘ１、Ｘ２、…の各々を又はそれらの総称を、Ｘ電極Ｘｉともいい、ｉは添え字を意味する。サステイン回路３１は、サステイン放電（維持放電）を繰り返す回路からなり、Ｘ電極Ｘｉに所定の電圧を供給する。Ｘ電極Ｘｉは、一端がＸ電極ドライバ３０に共通接続されている。
【００２４】
アドレスドライバ４０は、表示すべき列を選択する回路からなり、複数のアドレス電極Ａ１、Ａ２、…に所定の電圧を供給する。以下、アドレス電極Ａ１、Ａ２、…の各々を又はそれらの総称を、アドレス電極Ａｊともいい、ｊは添え字を意味する。
【００２５】
制御回路５０は、外部から入力される表示データ、クロック信号、水平同期信号、及び垂直同期信号などに基づいて制御信号を生成する。制御回路５０は、生成した制御信号をＹ電極ドライバ２０、Ｘ電極ドライバ３０、及びアドレスドライバ４０に供給し、これらドライバ２０、３０、４０を制御する。
【００２６】
プラズマディスプレイパネル１０では、表示電極対を構成するＹ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向にかつ互いに平行に所定の配置パターン（表示電極の配置パターンについては、図３を参照し後述する。）で配置される。アドレス電極Ａｊは、Ｙ電極Ｙｉ及びＸ電極Ｘｉに略垂直な方向に配置される。Ｙ電極Ｙｉ及びアドレス電極Ａｊは、ｉ行ｊ列の２次元行列を形成する。
【００２７】
ここで、本実施形態におけるプラズマディスプレイパネル１０では、１つの表示ラインに対して２本の電極（１対のＹ電極ＹｉとＸ電極Ｘｉ）からなる表示電極対を配置し、隣接する表示ラインで表示電極が共有されない。すなわち、ｐを自然数として、Ｙ電極Ｙ（２ｐ−１）とＸ電極Ｘ（２ｐ−１）との組で表示ラインにおける奇数表示ラインが構成され、Ｙ電極Ｙ（２ｐ）とＸ電極Ｘ（２ｐ）との組で偶数表示ラインが構成される。例えば、Ｙ電極Ｙ１とＸ電極Ｘ１との組で１番目の表示ラインが構成され、Ｙ電極Ｙ２とＸ電極Ｘ２との組で２番目の表示ラインが構成される。
【００２８】
セルＣｉｊは、Ｙ電極Ｙｉ及びアドレス電極Ａｊの交点並びにそれに対応して隣接するＸ電極Ｘｉにより形成される。このセルＣｉｊが、例えば赤色、緑色、青色のサブピクセルに対応し、これら３色のサブピクセルで１画素が構成される。パネル１０は２次元配列された複数の画素の点灯により画像を表示する。Ｙ電極ドライバ２０内のスキャン回路２１、２２とアドレスドライバ４０によってどこのセルを点灯させるかを決め、Ｙ電極ドライバ２０内のサステイン回路２３とＸ電極ドライバ３０内のサステイン回路３１によって繰り返し放電を行うことにより表示動作が行われる。
【００２９】
図２は、第１の実施形態におけるプラズマディスプレイパネル１０の構成例を示す分解斜視図である。
【００３０】
前面ガラス基板１１上に、バス電極（金属電極）１２と透明電極１３からなる表示電極（サステイン電極ともいう。）が形成されている。表示電極（１２、１３）は、図１に示したＹ電極Ｙｉ及びＸ電極Ｘｉに対応する。表示電極（１２、１３）の上には、誘電体層１４が設けられ、さらにその上には、ＭｇＯ（酸化マグネシウム）保護膜１５が設けられている。すなわち、前面ガラス基板１１に配置された表示電極（１２、１３）は、誘電体層１４に覆われており、さらにその表面がＭｇＯ保護膜１５に覆われている。
【００３１】
前面ガラス基板１１と対向して配置された背面ガラス基板１６上に、表示電極（１２、１３）と直交する方向に（交差するように）アドレス電極１７Ｒ、１７Ｇ、１７Ｂが形成されている。アドレス電極１７Ｒ、１７Ｇ、１７Ｂは、図１に示したアドレス電極Ａｊに対応する。アドレス電極１７Ｒ、１７Ｇ、１７Ｂの上には、誘電体層１８が設けられる。
【００３２】
さらに誘電体層１８上には、格子状に配置された、すなわち放電空間をセル毎に区画する閉鎖型の隔壁（リブ）１９、及びカラー表示のための赤色（Ｒ）、緑色（Ｇ）、青色（Ｂ）の可視光を発光する蛍光体層ＰＲ、ＰＧ、ＰＢが形成されている。対をなす表示電極（１２、１３）間の面放電で生じる紫外線によって蛍光体層ＰＲ、ＰＧ、ＰＢを励起して各色が発光する。
【００３３】
隔壁１９は、アドレス電極１７Ｒ、１７Ｇ、１７Ｂが延びる方向に形成された縦隔壁（縦リブ）と、表示電極（１２、１３）が延びる方向に形成された横隔壁（横リブ）とからなる。すなわち、本実施形態によるプラズマディスプレイパネル１０は、閉鎖型隔壁構造を有する。
【００３４】
蛍光体層ＰＲ、ＰＧ、ＰＢは、アドレス電極１７Ｒの上方に赤色に発光する蛍光体層ＰＲが形成され、アドレス電極１７Ｇの上方に緑色に発光する蛍光体層ＰＧが形成され、アドレス電極１７Ｂの上方に青色に発光する蛍光体層ＰＢが形成されている。言い換えれば、セル対応の隔壁１９内面に塗布されている赤色、緑色、青色の蛍光体層ＰＲ、ＰＧ、ＰＢに対応するようにしてアドレス電極１７Ｒ、１７Ｇ、１７Ｂが配置されている。
【００３５】
プラズマディスプレイパネル１０は、前面ガラス基板１１と背面ガラス基板１６を、保護膜１５と隔壁１９が接するように封着し、その内部（前面ガラス基板１１と背面ガラス基板１６との間の放電空間）にＮｅ−Ｘｅ等の放電ガスを封入して構成される。
【００３６】
図３は、第１の実施形態におけるプラズマディスプレイパネル１０での表示電極の配置を説明するための図である。
縦隔壁１９Ａが、図示しないアドレス電極Ａｊの両側に形成されており、この縦隔壁１９Ａと交差するように横隔壁１９Ｂが形成されている。縦隔壁１９Ａ及び横隔壁１９Ｂにより放電空間が区画されてセルが形成され、水平方向（横隔壁１９Ｂが延びる方向）に並ぶ複数のセルで表示ラインが形成される。
【００３７】
横隔壁１９Ｂが延びる方向に、バス電極１２と透明電極１３からなる表示電極が形成され、隣接する表示ラインと表示電極を共有することなく、各表示ラインに１対（２本）の表示電極（１２、１３）が配置されている。表示電極（１２、１３）は、隣接する表示ラインに対してＸ電極とＹ電極との配置位置が逆となるように配置される。例えば図３に示すように、（２ｎ＋１）番目の表示ラインにてＸ電極Ｘ（２ｎ＋１）、Ｙ電極Ｙ（２ｎ＋１）の順で配置されていれば、それに隣接する（２ｎ＋２）番目の表示ラインでは、Ｙ電極Ｙ（２ｎ＋２）、Ｘ電極Ｘ（２ｎ＋２）の順で配置される。すなわち、隣接する表示ラインにおけるＸ電極同士又はＹ電極同士が、横隔壁１９Ｂを挟んで隣り合うように配置されている。
【００３８】
図４を参照して、一般的なプラズマディスプレイパネルの駆動方法について説明する。
図４（Ａ）は、プラズマディスプレイパネルの駆動方法の一例を説明するための図である。１つのフレーム（奇数フレーム若しくは偶数フレーム）は、複数のサブフレーム（ＳＦ）から構成される。図４（Ａ）では作画の都合上、１つのフレームが６個のサブフレームＳＦ１、ＳＦ２、ＳＦ３、ＳＦ４、ＳＦ５、ＳＦ６からなる構成を図示しているが、通常は１０個〜１２個のサブフレームからなる構成が一般的である。
【００３９】
各サブフレームＳＦ１〜ＳＦ６は、リセット期間、アドレス期間、及びサステイン期間で構成される。リセット期間において、電極上の壁電荷状態を初期化し、アドレス期間において表示データに基づいて壁電荷状態を調整して点灯させようとするセルを選択し、サステイン期間で表示データに対応したセルを点灯させる（表示データに応じて選択されたセルを放電発光させる）。どのサブフレームＳＦ１〜ＳＦ６で点灯させるかを選択することにより、階調表現が実現される。
【００４０】
図４（Ｂ）は、プラズマディスプレイパネルのインターレース駆動の一例を説明するための図である。図４（Ｂ）では作図の都合上、奇数フレーム及び偶数フレームは４個のサブフレームからなる構成としている。奇数フレームでは、奇数表示ラインを点灯させ偶数表示ラインを非点灯とする。偶数フレームでは、偶数表示ラインを点灯させ、奇数表示ラインを非点灯とする。
【００４１】
図５は、第１の実施形態におけるプラズマディスプレイ装置の駆動波形の一例を示す図である。図５には、奇数フレームを構成する複数のサブフレームのうちの１つのサブフレーム分において、Ｘ電極Ｘｉ、Ｙ電極Ｙｉ、アドレス電極Ａｊに係る駆動波形の一例を示している。図５において、Ａはアドレス電極Ａｊに印加される電圧波形、ＸはＸ電極Ｘｉに印加される電圧波形、Ｙｏは奇数表示ラインのＹ電極Ｙｉに印加される電圧波形、Ｙｅは偶数表示ラインのＹ電極Ｙｉに印加される電圧波形を示している。
【００４２】
第１の実施形態において、奇数フレームでは、Ｙ電極ドライバ２０内のスキャン回路（ｏｄｄ）２２とサステイン回路２３とを接続するためのスイッチＳＷ２がオン状態とされる。
【００４３】
リセット期間では、セルＣｉｊの初期化を行う。図５に示す例では、リセット期間においては、奇数表示ラインのＹ電極Ｙｉ（Ｙｏ）に正極性の鈍波（正の傾斜を持つ波形）を一斉に印加して壁電荷を形成し、続いて負極性の鈍波（負の傾斜を持つ波形）を一斉に印加してセルＣｉｊの壁電荷量を調整する。
【００４４】
アドレス期間では、アドレス指定により奇数表示ラインの各セルＣｉｊの発光又は非発光を選択するスキャン動作を行う。アドレス期間においては、奇数表示ラインのＹ電極Ｙ１、Ｙ３…（Ｙｏ）に順次スキャンパルスを印加し、そのスキャンパルスに対応してアドレス電極Ａｊにアドレスパルスを印加する。これにより、アドレス電極Ａｊ及び奇数表示ラインのＹ電極Ｙｉ（Ｙｏ）間に放電が生じ、この放電によってＸ電極Ｘｉ及びＹ電極Ｙｉ（Ｙｏ）に壁電荷が形成され、セルＣｉｊの発光又は非発光を選択する。
【００４５】
Ｙ電極Ｙｉのスキャンパルスに対応してアドレス電極Ａｊのアドレスパルスが生成されれば、そのＹ電極Ｙｉ及びＸ電極Ｘｉとアドレス電極Ａｊとにより形成されるセルＣｉｊの発光が選択される。Ｙ電極Ｙｉのスキャンパルスに対応してアドレス電極Ａｊのアドレスパルスが生成されなければ、そのＹ電極Ｙｉ及びＸ電極Ｘｉとアドレス電極Ａｊとにより形成されるセルＣｉｊの発光が選択されず、非発光が選択される。
【００４６】
サステイン期間では、Ｘ電極Ｘｉ及び奇数表示ラインのＹ電極Ｙｉ（Ｙｏ）間に互いに逆相のサステインパルスが印加され、アドレス期間において選択されたセルのＸ電極Ｘｉ及びＹ電極Ｙｉ（Ｙｏ）間でサステイン放電を行い、発光を行う。
【００４７】
第１の実施形態においては、図５に示すように奇数フレームを構成するサブフレームでは、Ｙ電極ドライバ２０内のスキャン回路（ｅｖｅｎ）２１とサステイン回路２３とを接続するスイッチＳＷ１がオフ状態とされ、偶数表示ラインのＹ電極Ｙｉ（Ｙｅ）はハイインピーダンスとなる。図５に示した例では、リセット期間、アドレス期間、及びサステイン期間にわたって偶数表示ラインのＹ電極Ｙｉ（Ｙｅ）をハイインピーダンス状態にするようにしているが、少なくともサステイン期間においてハイインピーダンス状態にするようにしても良い。
【００４８】
なお、偶数フレームを構成するサブフレームにおいても同様であり、Ｙ電極ドライバ２０内のスキャン回路（ｅｖｅｎ）２１とサステイン回路２３とを接続するスイッチＳＷ１がオン状態とされ、スキャン回路（ｏｄｄ）２２とサステイン回路２３とを接続するスイッチＳＷ２がオフ状態とされる。すなわち、偶数フレームにおけるサブフレームでは、図５に示した奇数表示ラインのＹ電極Ｙｉ（Ｙｏ）と同様の駆動波形が、偶数表示ラインのＹ電極Ｙｉ（Ｙｅ）に印加され、奇数表示ラインのＹ電極Ｙｉ（Ｙｏ）はハイインピーダンスとなる。
【００４９】
以上のように、第１の実施形態によれば、Ｙ電極ドライバ２０において、偶数表示ラインに対応するスキャン回路（ｅｖｅｎ）２１とサステイン回路２３とをスイッチＳＷ１を介して接続するとともに、奇数表示ラインに対応するスキャン回路（ｏｄｄ）２２とサステイン回路２３とをスイッチＳＷ２を介して接続する。そして、少なくとも奇数フレームのサステイン期間においては、スイッチＳＷ１をオフ状態にして、偶数表示ラインのＹ電極Ｙｉ（Ｙｅ）をハイインピーダンスにする。また、少なくとも偶数フレームのサステイン期間においては、スイッチＳＷ２をオフ状態にして、奇数表示ラインのＹ電極Ｙｉ（Ｙｏ）をハイインピーダンスにする。このようにして、奇数フレームのサステイン期間では偶数表示ラインの放電を抑制し、偶数フレームのサステイン期間では奇数表示ラインの放電を抑制することにより、インターレース駆動を実現することができる。
【００５０】
また、サステイン期間において、Ｙ電極ドライバ２０内のサステイン回路２３によりＹ電極Ｙｉ（Ｙｅ、Ｙｏ）に印加する電圧波形、及びＸ電極ドライバ３０内のサステイン回路３１によりＸ電極Ｘｉに印加する電圧波形は、それぞれ１種類となる。したがって、Ｙ電極ドライバ２０及びＸ電極ドライバ３０には、サステイン回路２３及びサステイン回路３１として１相のものを１つずつ設ければ良いので、簡単な回路構成でインターレース駆動が実現可能となる。
【００５１】
（第２の実施形態）
次に、本発明の第２の実施形態について説明する。
上述した第１の実施形態では、奇数フレームのサステイン期間では、スイッチＳＷ１をオフ状態にして偶数表示ラインのＹ電極Ｙｉ（Ｙｅ）をハイインピーダンス状態にし、偶数フレームのサステイン期間では、スイッチＳＷ２をオフ状態にして奇数表示ラインのＹ電極Ｙｉ（Ｙｏ）をハイインピーダンス状態にしている。
【００５２】
それに対して、以下に説明する第２の実施形態は、サステイン期間を第１サステイン期間と第２サステイン期間とに分け、第１サステイン期間では偶数表示ライン及び奇数表示ラインのＹ電極Ｙｉ（Ｙｅ，Ｙｏ）の両方にサステインパルスを印加し、第２サステイン期間では奇数フレームであれば偶数表示ラインのＹ電極Ｙｉ（Ｙｅ）をハイインピーダンスにし、偶数フレームであれば奇数表示ラインのＹ電極Ｙｉ（Ｙｏ）をハイインピーダンスにするよう制御を行う。
【００５３】
第２の実施形態におけるプラズマディスプレイ装置の構成は、第１の実施形態におけるプラズマディスプレイ装置の構成と同様であるので説明は省略する。
【００５４】
第２の実施形態におけるプラズマディスプレイ装置の動作について説明する。
第２の実施形態では、奇数フレームの第２サステイン期間において、スキャン回路（ｅｖｅｎ）２１とサステイン回路２３とを接続するスイッチＳＷ１がオフ状態とされ、偶数フレームの第２サステイン期間において、スキャン回路（ｏｄｄ）２２とサステイン回路２３とを接続するスイッチＳＷ２がオフ状態とされる。他の期間においては、スイッチＳＷ１及びＳＷ２ともにオン状態である。
【００５５】
図６は、第２の実施形態におけるプラズマディスプレイ装置の駆動波形の一例を示す図である。図６には、奇数フレームを構成する複数のサブフレームのうちの１つのサブフレーム分において、Ｘ電極Ｘｉ、Ｙ電極Ｙｉ、アドレス電極Ａｊに係る駆動波形の一例を示している。図６において、Ａはアドレス電極Ａｊに印加される電圧波形、ＸはＸ電極Ｘｉに印加される電圧波形、Ｙｏは奇数表示ラインのＹ電極Ｙｉに印加される電圧波形、Ｙｅは偶数表示ラインのＹ電極Ｙｉに印加される電圧波形を示している。
【００５６】
リセット期間では、セルＣｉｊの初期化を行う。リセット期間においては、Ｙ電極Ｙｉ（Ｙｏ及びＹｅ）に正極性の鈍波を一斉に印加して壁電荷を形成し、続いて負極性の鈍波を一斉に印加してセルＣｉｊの壁電荷量を調整する。
【００５７】
アドレス期間では、Ｙ電極Ｙｉに順次スキャンパルスを印加し、そのスキャンパルスに対応してアドレス電極Ａｊにデータに従いアドレスパルスを印加することにより（アドレス指定により）、各セルＣｉｊの発光又は非発光を選択するスキャン動作を行う。第２の実施形態におけるアドレス期間においては、奇数フレームの場合には奇数表示ラインである（２ｎ＋１）番目のラインと偶数表示ラインである（２ｎ＋２）番目のラインとに対して同時にスキャン動作を行い、対応するセルに同一のデータを書き込む。また、偶数フレームの場合には偶数表示ラインである（２ｎ＋２）番目のラインと奇数表示ラインである（２ｎ＋３）番目のラインとに対して同時にスキャン動作を行い、対応するセルに同一のデータを書き込む。
【００５８】
すなわち、第２の実施形態では、奇数表示ライン及び偶数表示ラインの隣接する各１ラインを１組としてスキャン動作を行い、２ラインの対応するセルに同じデータを書き込む。例えば、奇数フレームにおいては、図１に示したセルＣ１１に書き込まれるデータがセルＣ２１にも書き込まれ、セルＣ３１に書き込まれるデータがセルＣ４１にも書き込まれる。同様に、偶数フレームにおいては、図１に示したセルＣ２１に書き込まれるデータがセルＣ３１にも書き込まれ、セルＣ４１に書き込まれるデータがセルＣ５１にも書き込まれる。なお、奇数フレームの場合に（２ｎ＋１）番目のラインと（２ｎ）番目のラインとに対して同時にスキャン動作を行い、偶数フレームの場合に（２ｎ＋２）番目のラインと（２ｎ＋１）番目のラインとに対して同時にスキャン動作を行うようにしても良い。
【００５９】
第１サステイン期間では、Ｘ電極Ｘｉ及びＹ電極Ｙｉ（Ｙｏ及びＹｅ）間に互いに逆相のサステインパルスが印加され、アドレス期間において選択されたセルのＸ電極Ｘｉ及びＹ電極Ｙｉ（Ｙｏ及びＹｅ）間でサステイン放電を行い、発光を行う。なお、第１サステイン期間において、Ｙ電極Ｙｏ及びＹ電極Ｙｅに印加されるサステインパルスは同相である。
【００６０】
続く、第２サステイン期間では、Ｘ電極Ｘｉ及び奇数表示ラインのＹ電極Ｙｉ（Ｙｏ）間に互いに逆相のサステインパルスが印加され、アドレス期間において選択されたセルのＸ電極Ｘｉ及びＹ電極Ｙｉ（Ｙｏ）間でサステイン放電を行い、発光を行う。一方、図６に示すように奇数フレームの第２サステイン期間では、スキャン回路（ｅｖｅｎ）２１とサステイン回路２３とを接続するスイッチＳＷ１がオフ状態とされ、偶数表示ラインのＹ電極Ｙｉ（Ｙｅ）はハイインピーダンスとなる。
【００６１】
なお、偶数フレームを構成するサブフレームにおいても同様であり、偶数フレームの第２サステイン期間では、スキャン回路（ｏｄｄ）２２とサステイン回路２３とを接続するスイッチＳＷ２がオフ状態とされ、奇数表示ラインのＹ電極Ｙｉ（Ｙｏ）はハイインピーダンスとなる。
【００６２】
第２の実施形態によれば、奇数フレーム及び偶数フレームの第１サステイン期間においては、スイッチＳＷ１及びＳＷ２をともにオン状態にして、２ラインを１組として同時に表示動作を行わせる。ここで、組になる２ラインを１ラインとみなすと、奇数フレームと偶数フレームでは表示ライン位置のずれた表示となっている。したがって、第１サステイン期間においては、２ライン表示でのインターレース駆動が実現される。
【００６３】
また、奇数フレームの第２サステイン期間においては、スイッチＳＷ１をオフ状態にし、偶数フレームの第２サステイン期間においては、スイッチＳＷ２をオフ状態にする。このようにして、奇数フレームの第２サステイン期間では、偶数表示ラインのＹ電極Ｙｉ（Ｙｅ）をハイインピーダンス状態にして偶数表示ラインでの放電を抑制し、偶数フレームの第２サステイン期間では、奇数表示ラインのＹ電極Ｙｉ（Ｙｏ）をハイインピーダンス状態にして奇数表示ラインでの放電を抑制する。したがって、第２サステイン期間においては、１ライン表示でのインターレース駆動を実現することができる。
【００６４】
また、第１の実施形態と同様に、第１及び第２サステイン期間において、Ｙ電極ドライバ２０内のサステイン回路２３によりＹ電極Ｙｉ（Ｙｅ、Ｙｏ）に印加する電圧波形、及びＸ電極ドライバ３０内のサステイン回路３１によりＸ電極Ｘｉに印加する電圧波形は、それぞれ１種類となる。したがって、Ｙ電極ドライバ２０及びＸ電極ドライバ３０には、サステイン回路２３及びサステイン回路３１として１相のものを１つずつ設ければ良いので、簡単な回路構成でインターレース駆動が実現可能となる。
【００６５】
以上のように、第２の実施形態では部分的に２ライン表示を行い、第１の実施形態よりも高輝度が得られる。図７に第２の実施形態での駆動構成を示す。組になる２ラインの内、一方（図７では下側だが、上下逆でも構わない）の表示放電数を他方に対して一定の割合で少なくする。これにより、１ライン表示と２ライン表示の中間の画像となる。今少ない方のサステイン放電数の他方の放電数に対する比、言い換えれば（第１サステイン期間＋第２サステイン期間）に対する第１サステイン期間の時間割合であって２ライン点灯の割合を示す混合率をαとする。０＜α＜１である。
【００６６】
すなわち、図８に１サブフレームだけ抜き出した駆動構成を示したように、あるサブフレームでサステイン放電数を減らさないラインが全点灯したときの輝度をＬとしたとき、もう一方のラインを全点灯したときの輝度がαＬである。製造ばらつきがあったとしても、輝度向上を得るには、望ましくはαは０．０５以上必要である。また、より輝度向上の効果を得るためには、好ましくはαは０．２以上必要である。一方、解像度の向上効果を得るためには、好ましくはαは０．８以下が必要であり、より好ましくはαは０．５以下が望ましい。
【００６７】
以下に、混合率αの設定手法の一例を説明する。
なお、以下に示す例では、プラズマディスプレイパネルの表示負荷率の変化に対して線形に混合率αを変化させているが、これに限定されず、表示負荷率の変化に対する混合率αの変化が非線形であっても良い。
【００６８】
（１）図９に示すように、プラズマディスプレイパネルの表示負荷率が、ある値（第１のしきい値）より高い場合には２ライン点灯の混合率αを０とし、その第１のしきい値以下では表示負荷率が下がるに従って混合率αを徐々に増加させていく。
【００６９】
２ライン表示を行う場合、単位サステイン期間当りの輝度は２ライン点灯の混合率αに略比例して増大するが、発光効率は略同等である。一方、通常のプラズマディスプレイパネルでは、図１０に示すようなＡＰＣ（automatic power control）制御が行われる。
【００７０】
以下、プラズマディスプレイパネルにおけるＡＰＣ制御について説明する。なお、議論の本質を変えないので、説明の便宜上、プラズマディスプレイパネルの消費電力はサステイン期間で消費される電力のみとする。ここで、サステイン期間で消費される電力は、発光に直接寄与する放電電力と、電極間の容量を充放電する際に消費される無効電力からなる。表示負荷率に対する最大輝度（最高階調時の輝度）と消費電力の関係を図１０に示す。最大輝度と無効電力はサステイン周波数に略比例しており、ＡＰＣポイント（通常、表示負荷率が１０％から２０％）より下ではサステイン周波数（最大輝度と無効電力）は一定に保たれ、ＡＰＣポイントより上ではサステイン周波数（最大輝度と無効電力）は表示負荷率の上昇とともに減少する。一方、全電力はＡＰＣポイントより下では表示負荷率の上昇とともに上昇し、ＡＰＣポイントより上では全電力は一定に保たれる。以上が通常行われるＡＰＣ制御である。
【００７１】
したがって、全電力を一定に保つように制御を行う高表示負荷率の領域（例えばＡＰＣポイントより上の領域）で２ライン点灯を行っても、１ライン点灯に対して解像度が低下するのみで輝度上昇の効果はほとんどない。これは、２ライン点灯にすることにより、サステイン１周期当たりの輝度は略２倍になるが、消費電力も増えるため、全電力一定という制御のもとでは、２ライン点灯時のサステイン周波数が１ライン点灯時のサステイン周波数に比較して低下するため、結果として最大輝度はほとんど増えないためである。
【００７２】
このような事情により、プラズマディスプレイパネルの表示負荷率が第１のしきい値以下の場合に２ライン点灯の制御を行うようにする。一例として、表示負荷率がＡＰＣポイントより低い領域で、表示負荷率の低下に伴って２ライン点灯の混合率αを増大させるように制御を行う場合の、表示負荷率に対する最大輝度（最高階調時の輝度）と混合率αを図１１に示す。表示負荷率がＡＰＣポイントより低い領域で、２ライン点灯の混合率αを表示負荷率に応じて増加させることにより最大輝度も増大している。
【００７３】
（２）図１２に示すように、輝度重みの軽い下位のサブフレームでは２ライン点灯の制御を行わず（図１２（Ａ））、輝度重みの重い上位のサブフレームでのみ２ライン点灯の制御を行う（図１２（Ｂ））。すなわち、下位のサブフレームでは、プラズマディスプレイパネルの表示負荷率にかかわらず２ライン点灯の混合率αを常に０とする。また、上位のサブフレームでは、表示負荷率がある値（第１のしきい値）より高い場合には２ライン点灯の混合率αを０とし、第１のしきい値以下では表示負荷率が下がるに従って混合率αを徐々に増加させていく。
【００７４】
上述した（１）の設定手法では、すべてのサブフレームで一律に２ライン点灯の混合率αを制御しているが、輝度重みの軽い下位のサブフレームではサステイン放電数（サステインパルス数）が少ないために、２ライン点灯を行う効果は少ない（１ライン点灯のまま、輝度上昇のために全体のパルス数を増やしても、あまり駆動時間の増加にならない）。下位のサブフレームにて２ライン点灯を行うよりも、最小輝度を小さくすることが階調を細かく出力するためには重要である。そこで、下位のサブフレームでは、図１２（Ａ）に示すように２ライン点灯の制御を行わず、上位のサブフレームで図１２（Ｂ）に示すように表示負荷率に応じた２ライン点灯の制御を行う。
【００７５】
（３）図１３に示すように、プラズマディスプレイパネルの表示負荷率が、第１のしきい値以下では表示負荷率が下がるに従って混合率αを徐々に増加させ、第１のしきい値より高く第２のしきい値以下では２ライン点灯の混合率αを０とし、第２のしきい値より高い場合には表示負荷率が上がるに従って混合率αを徐々に増加させていく。
【００７６】
高表示負荷率の領域では、上述したようにＡＰＣ制御では全電力を一定に保つように制御が行われるため、２ライン点灯による大きな輝度向上はない。しかし、１ライン点灯時は、非点灯ラインは点灯していなくとも線間容量への充放電による無効電力消費がある。したがって、２ライン点灯を行うと点灯セル数に対する無効電力の値が減るため、無効電力低減分だけ輝度上昇を図ることができる。また、表示負荷率が１００％近傍の領域では、画面全体が白一色の状態に近いので、解像度はあまり必要でない。
【００７７】
そこで、解像度がそれほど必要でない表示負荷率が１００％近傍の領域において、２ライン点灯の混合率αを表示負荷率に応じて増加させることで、無効電力を低減し輝度を向上させることが可能となる。
【００７８】
（第３の実施形態）
次に、本発明の第３の実施形態について説明する。
第３の実施形態におけるプラズマディスプレイ装置の構成は、第１の実施形態におけるプラズマディスプレイ装置の構成と同様であるので説明は省略する。
【００７９】
第３の実施形態では、図１４に示すように、表示負荷率にはかかわらず、輝度重みの軽い下位のサブフレームでは２ライン点灯の制御を常に行わず（図１４（Ａ））、輝度重みの重い上位のサブフレームは２ライン点灯の制御を行うようにする（図１４（Ｂ））。下位のサブフレームでは混合率αを常に０として１ライン点灯を行い、上位のサブフレームでは混合率αを常に１として２ライン点灯を行う。
【００８０】
第３の実施形態におけるプラズマディスプレイ装置においては、混合率αを０とする下位サブフレームでは図５に示した駆動波形に従って駆動され、混合率αを１とする上位サブフレームでは図１５に示した駆動波形に従って駆動される。なお、図１５に示した駆動波形例は、図６に示した駆動波形において第２サステイン期間がなくなり第１サステイン期間がサステイン期間全体を占めるようにしたものと同様である。また、混合率αを０とする下位サブフレームのリセット期間及びアドレス期間においては、図５に示した例と同様に偶数表示ラインのＹ電極Ｙｉ（Ｙｅ）又は奇数表示ラインのＹ電極Ｙｉ（Ｙｏ）をハイインピーダンスとするようにしても良いし、図６に示した例のように隣接する点灯ラインと同じデータを書き込むようにしても良い。
【００８１】
第３の実施形態によれば、第１及び第２の実施形態と同様に、回路構成を複雑化することなく、簡単な回路構成でインターレース駆動を実現することができる。また、表示負荷率にかかわらず、下位のサブフレームであるか上位のサブフレームであるかに応じて、２ライン点灯の制御を行うか否かを切り替えることで、２ライン点灯の制御に係る回路構成も簡素化することができる。
【００８２】
なお、上述した第２及び第３の実施形態に示した例では、混合率αは０〜１の範囲のすべての値を取りうるようにしているが、本発明はこれに限定されるものではない。例えば、混合率αが０．２以下の値とならないように制御するようにしても良いし、０．８以上の値とならないように制御するようにしても良い。
【００８３】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００８４】
【図１】本発明の第１の実施形態によるプラズマディスプレイ装置の構成例を示す図である。
【図２】第１の実施形態におけるプラズマディスプレイパネルの構成例を示す図である。
【図３】第１の実施形態におけるプラズマディスプレイパネルでの表示電極の配置を説明するための図である。
【図４】プラズマディスプレイパネルの駆動方法について説明するための図である。
【図５】第１の実施形態におけるプラズマディスプレイ装置の駆動波形の一例を示す図である。
【図６】第２の実施形態におけるプラズマディスプレイ装置の駆動波形の一例を示す図である。
【図７】第２の実施形態における駆動構成を説明するための図である。
【図８】第２の実施形態におけるサブフレームの構成を説明するための図である。
【図９】２ライン点灯の混合率制御の一例を示す図である。
【図１０】ＡＰＣ制御を説明するための図である。
【図１１】２ライン点灯の混合率制御の一例を示す図である。
【図１２】２ライン点灯の混合率制御の他の例を示す図である。
【図１３】２ライン点灯の混合率制御のその他の例を示す図である。
【図１４】第３の実施形態における制御例を示す図である。
【図１５】第３の実施形態におけるプラズマディスプレイ装置の上位サブフレームでの駆動波形の一例を示す図である。
【図１６】共通電極型プラズマディスプレイパネルを有するプラズマディスプレイ装置の構成を示す図である。
【符号の説明】
【００８５】
１０  プラズマディスプレイパネル
２０  Ｙ電極ドライバ
２１、２２  スキャン回路
２３  サステイン回路
３０  Ｘ電極ドライバ
３１  サステイン回路
４０  アドレスドライバ
５０  制御回路
ＳＷ１、ＳＷ２  スイッチ
【図１】
2009053548.tif 000003
【図２】
2009053548.tif 000004
【図３】
2009053548.tif 000005
【図４】
2009053548.tif 000006
【図５】
2009053548.tif 000007
【図６】
2009053548.tif 000008
【図７】
2009053548.tif 000009
【図８】
2009053548.tif 000010
【図９】
2009053548.tif 000011
【図１０】
2009053548.tif 000012
【図１１】
2009053548.tif 000013
【図１２】
2009053548.tif 000014
【図１３】
2009053548.tif 000015
【図１４】
2009053548.tif 000016
【図１５】
2009053548.tif 000017
【図１６】
2009053548.tif 000018